【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
カバー層と前記カバー層の一表面に強く接合した取り外し可能な接着剤層とを含むプレマスク材料層と、
対向する第１および第２の主面を有するある一定長さの装飾フィルムと、前記第２の主面に沿った接着剤層とを含む供給長さの装飾フィルムテープと、
対向する第１および第２の主面を有し、前記第１の主面は前記カバー層の前記取り外し可能な接着剤および前記装飾フィルムの前記接着剤により剥離可能に接合されるように構成された剥離ライナと、
前記供給長さのテープから異なる長さおよび端部形状の表示長さのテープを形成する手段と、前記表示長さのテープを所定の端部位置に沿って延在している前記表示長さのテープの長手方向端部を備えた適用面に沿った表面の異なる正確な位置に適用する手段と、を含むテープアプリケータと、を提供する工程と、
前記第１の主面を備えた前記剥離ライナを前記適用面に支持する工程と、
前記テープアプリケータを用いて、前記供給長さの装飾フィルムテープから異なる所定の形状および長さの表示長さの装飾フィルムテープを形成し、これらの表示長さの装飾フィルムテープを、所定の端部配置に沿って延在している前記表示長さのテープの長手方向端部を備えた所定のパターンで前記剥離ライナの前記第１の表面に適用する工程と、
前記剥離ライナおよび前記表示長さの装飾フィルムテープ周囲の前記剥離ライナに接合した前記表示長さの装飾フィルムテープの前記第１の主面を覆う前記プレマスク材料層に含まれる前記取り外し可能な接着剤層を接合する工程と、
を含む、基材を装飾するのに用いるのに適合したラミネートの製造方法。
【請求項２】
提供された前記テープアプリケータが、前記表示長さのテープの前記長さを超えた長さを有する不連続な長さのテープを形成し、前記不連続な長さのテープを、前記表示長さのテープについて前記所定の端部位置の全長に沿って延在している前記テープの前記長手方向端部を備えた前記適用面に沿って表面に接合する手段と、前記適用面に沿って前記表面に接合した前記不連続な長さのテープを交差方向に切断して、前記表示長さのテープの端部を形成して、前記適用された不連続な長さのテープから前記表示長さのテープを形成する別個の手段と、を含み、
前記テープアプリケータを用いる工程が、
不連続な長さの装飾フィルムテープを、前記表示長さのテープについて前記所定の端部位置の全長に沿って延在している前記装飾フィルムテープの長手方向端部を備え、前記不連続な長さの装飾フィルムテープの特定の部分を互いに重ね合わせた所定のパターンで前記剥離ライナの前記第１の表面に形成し適用する工程と、
前記テープアプリケータを用いて、前記剥離ライナに接合した前記不連続な長さの装飾フィルムテープを交差方向に切断して、前記適用された長さの装飾フィルムテープの前記重なった部分で位置合わせされ近接配置された端部を含む前記表示長さの装飾フィルムテープに端部を形成することによって、前記表示長さの装飾フィルムテープを前記適用された不連続な長さの装飾フィルムテープから形成する工程と、
前記不連続な長さの装飾フィルムテープを切断することにより得られた前記不連続な長さの装飾フィルムテープの前記剥離ライナスクラップ部分から取り外して、前記表示長さの装飾フィルムテープを形成する工程と、
を含む、請求項１に記載のラミネートの製造方法。
【請求項３】
カバー層と前記カバー層の一表面に接合した取り外し可能な接着剤層とを含むプレマスク材料層と、
対向する主面を有するある一定長さの装飾フィルムと、前記主面の１つに沿った接着剤層と、を含む供給長さの装飾フィルムテープと、
対向する第１および第２の主面を有し、前記第１の主面は前記カバー層の前記接着剤および前記装飾フィルムの前記接着剤により剥離可能に接合されるように構成された剥離ライナと、
テープアプリケータであって、
前記適用面において前記第１の主面により前記剥離ライナを支持するように適合した平面支持表面と、
リーディングエンドを有する枠を含むテープヘッドと、
前記枠リーディングの前記リーディングエンドによる直線の動きを含む複数の直線の動きを有する所定のパターンで前記支持表面を覆うように前記枠を移動するように適合したコンピュータ操作されるアセンブリと、を含むテープアプリケータと、を提供する工程であって、
前記テープヘッドがさらに、
適用表面を有する適用部材と、
前記適用面に沿った前記適用表面の適用位置と前記適用面から離れた前記適用表面の剥離位置との間の動きのために前記枠に前記適用部材を装着する手段と、
前記枠にあって、前記供給長さの装飾フィルムテープを支持し、前記枠リーディングのリーディングエンドによる前記直線の動きの間、前記枠の動く方向に平行な経路に沿って前記装飾フィルムテープの端部と共に前記適用表面上に延在している前記経路に沿って前記供給長さの装飾フィルムテープを案内する手段と、
前記経路に沿って前記枠にあって、前記経路に沿って移動する前記供給長さの装飾フィルムテープを切断する切断手段と、
前記枠にあって、前記経路に沿って前記供給長さの装飾フィルムテープを進めて、前記適用表面に対して前記切断手段により形成された前記供給長さの装飾フィルムテープの新たに切断された端部を移動する手段と、
鋭く細長い切断端部を有するカッターと、
前記適用面に沿った前記切断端部を備えた適用位置と前記適用面から離れた前記切断端部を備えた剥離位置との間での移動のために前記枠に前記カッターを装着する手段と、を含む工程と、
前記剥離ライナを前記支持表面に支持して、前記適用面において前記剥離ライナの前記第１の主面を配置する工程と、
各不連続な長さについて、前記適用部材を剥離位置に位置付ける工程と、進めるための手段を起動して、前記適用部材の前記適用表面に沿って前記供給長さの装飾フィルムテープの端部を配置する工程と、次いで前記適用部材を適用位置に位置付け、前記適用面を覆うテープヘッドの前記枠を、前記枠リーディングの前記リーディングエンドによる直線の動きで移動して、前記経路に沿って前記装飾フィルムテープを引っ張って、直線の長さの前記装飾フィルムを前記剥離ライナに適用する工程と、前記切断手段を操作して、前記適用された不連続な長さの装飾フィルムテープに端部を形成する工程と、により、前記テープアプリケータを用いて、互いに重なる不連続な長さの装飾フィルムテープのある部分を備えた所定のパターンで前記剥離ライナの前記第１の表面に前記不連続な長さの装飾フィルムテープを適用および接合する工程と、
前記テープアプリケータを用いて前記剥離ライナに適用された前記不連続な長さの装飾フィルムテープを切断して、前記テープヘッドの枠を、前記切断位置において前記カッターにより所定の経路に沿って前記適用面を覆うように移動することにより、前記適用された長さの装飾フィルムテープの前記重なった部分で位置合わせされ近接配置された端部を含む前記剥離ライナに沿って所定の位置で前記適用された不連続な長さの装飾フィルムテープに新たな端部を形成することによって、前記不連続な長さの装飾フィルムテープから表示長さの装飾フィルムテープを形成する工程と、
前記装飾フィルムテープを切断することにより得られる前記剥離ライナの前記適用された不連続な長さの装飾フィルムから切断された前記剥離ライナスクラップ部分を取り外して、新規な端部を形成することによって、前記表示長さの装飾フィルムテープとする工程と、
前記所定のパターンで前記剥離ライナおよび前記表示長さの装飾フィルムテープ周囲の前記剥離ライナに接合した前記表示長さの装飾フィルムテープの前記外側主面を覆うように前記プレマスク材料層に含められた前記取り外し可能な接着剤層を接合する工程と、
を含む、基材に装飾を与えるように適合したラミネートの製造方法。